(57)【要約】      （修正有）【課題】ユーザ認証前の撮影を可能にしつつ、ユーザ専用カメラ設定を適用した画像を得られるようにする撮像装置を提供する。【解決手段】ユーザ認証後の撮影操作に対し、現像処理部３４は、ユーザ認証されたユーザのユーザ専用カメラ設定に従い撮影画像を現像処理及び記録処理してメモリカード４０Ａ又は４０Ｂに記録する。ユーザ認証前の撮影操作に対し、現像処理部３４は、ユーザ専用カメラ設定の可能などの内容よりも高画質になるユーザ認証前カメラ設定に従い撮影画像を現像処理及び記録処理してメモリカード４０Ａ又は４０Ｂに記録する。ユーザ認証前カメラ設定に従いメモリカード４０Ａ又は４０Ｂに記録された画像データに対し、現像処理部３４は、ユーザ認証に従い、ユーザ認証されたユーザのユーザ専用カメラ設定に従い現像処理及び記録処理してメモリカード４０Ａ又は４０Ｂに記録する。【選択図】図１
2015195434.tif 000002
【特許請求の範囲】
【請求項１】
撮像する撮像手段と、
前記撮像手段による撮影画像データを記録媒体（４０Ａ，４０Ｂ）への記録用に処理する現像処理手段と、
前記現像処理手段により処理された画像データを前記記録媒体に記録する記録手段と、
ユーザ認証情報を認証するユーザ認証情報認証手段と、
前記ユーザ認証情報とユーザ専用カメラ設定の組を記録するユーザ認証情報記録手段と、
前記現像処理手段を制御する制御手段であって、前記ユーザ認証情報認証手段によるユーザ認証情報の認証後の撮影画像に対して、前記現像処理手段に、前記ユーザ認証情報と組となる前記ユーザ専用カメラ設定に従い前記現像処理手段を動作させ、前記ユーザ認証情報認証手段によるユーザ認証情報の認証前の撮影画像に対して、前記現像処理手段に、前記ユーザ専用カメラ設定の可能などの内容よりも高画質になるユーザ認証前カメラ設定に従い前記現像処理手段を動作させる制御手段と、
前記ユーザ認証前カメラ設定に従い前記現像処理手段で処理され前記記録媒体に記録された画像データに対し、前記ユーザ認証情報認証手段によるユーザ認証情報の認証に従い、前記ユーザ認証情報と組となる前記ユーザ専用カメラ設定に従い前記現像処理手段を動作させ、前記記録手段により前記記録媒体に記録させる認証後制御手段と
を有することを特徴とする撮像装置。
【請求項２】
前記ユーザ認証前カメラ設定が初期カメラ設定であり、
前記制御手段は、電源オンに応じて、前記初期カメラ設定を設定するとともに、前記ユーザ認証情報認証手段によるユーザ認証情報の認証までは、カメラ設定の変更を禁止する
ことを特徴とする請求項１に記載の撮像装置。
【請求項３】
前記ユーザ専用カメラ設定は、ユーザ情報と、前記現像処理手段の現像パラメータを含むことを特徴とする請求項１又は２に記載の撮像装置。
【請求項４】
前記ユーザ認証前カメラ設定は、可逆圧縮の指定を含む請求項１から３のいずれか１項に記載の撮像装置。
【請求項５】
更に、前記ユーザ認証情報記録手段に記録される前記ユーザ専用カメラ設定を変更する手段を有することを特徴とする請求項１から４のいずれか１項に記載の撮像装置。
【発明の詳細な説明】
【技術分野】
【０００１】
本発明は、撮像装置に関し、より具体的には、ユーザ認証機能を備える撮像装置に関する。
【背景技術】
【０００２】
近年、デジタルカメラのように、撮影した画像情報を電子的に処理し、メモリカードなどの記録媒体に画像データとして保存する撮像装置が普及している。撮像装置は、銀塩カメラで行っていた現像処理に相当する処理のパラメータをユーザが選択できる。また、記録先を選択できるものもある。これらの機能を利用するには、ユーザがカメラに対してこれらのパラメータ等を事前に設定しておく必要がある。
【０００３】
撮像装置を複数のユーザで利用する場合、各ユーザが利用前にこれらのパラメータを毎回、設定するのでは、ユーザの利便性を損ねる。これに対し、カメラがユーザを認識し、ユーザ毎のカメラ設定に自動的に切り替えるカメラが提案されている（特許文献１）。
【０００４】
ユーザ認証は方式によっては認証に時間がかかる。例えば、パスワードをカメラによるユーザ認証の場合、カメラに通常、装備される操作部材がパスワード入力に適さないので、パスワード入力に時間がかかる。また、指紋認証や静脈認証などの生体認証は、誤認識の可能性があり、再認証になると、これもまた時間がかかる。
【０００５】
ユーザ認証に時間がかかると、シャッタチャンスを逃してしまう可能性があり、カメラには適していない。これに対して、ユーザ認証機能を備えたカメラにおいて、ユーザ認証が完了していない状態でも撮影を行えるカメラが提案されている（特許文献２）。ユーザ認証が未完の状態では、撮影画像をバッファメモリに保持するも、記録媒体には書き込まないようにする。
【先行技術文献】
【特許文献】
【０００６】
【特許文献１】特開２００３−２９８９９９号公報
【特許文献２】特開２００３−０３２５３４号公報
【発明の概要】
【発明が解決しようとする課題】
【０００７】
特許文献２に記載の技術では、ユーザ認証前でも撮影自体は可能であるものの、シャープネスやコントラストなどの、撮影者の希望する画像処理を適用できない。従って、従来の技術では、しばしば、ユーザにとって意図しない撮影結果になってしまう。
【０００８】
本発明は、このような不都合に鑑み、ユーザ認証前での撮影を可能にしつつ、撮影者の希望する画像処理を適用可能にした撮像装置及びその制御方法を提示することを目的とする。
【課題を解決するための手段】
【０００９】
本発明に係る撮像装置は、被写体を撮像する撮像手段と、前記撮像手段による撮影画像データを記録媒体への記録用に処理する現像処理手段と、前記現像処理手段により処理された画像データを前記記録媒体に記録する記録手段と、ユーザ認証情報を認証するユーザ認証情報認証手段と、前記ユーザ認証情報とユーザ専用カメラ設定の組を記録するユーザ認証情報記録手段と、前記現像処理手段を制御する制御手段であって、前記ユーザ認証情報認証手段によるユーザ認証情報の認証後の撮影画像に対して、前記現像処理手段に、前記ユーザ認証情報と組となる前記ユーザ専用カメラ設定に従い前記現像処理手段を動作させ、前記ユーザ認証情報認証手段によるユーザ認証情報の認証前の撮影画像に対して、前記現像処理手段に、前記ユーザ専用カメラ設定の可能などの内容よりも高画質になるユーザ認証前カメラ設定に従い前記現像処理手段を動作させる制御手段と、前記ユーザ認証前カメラ設定に従い前記現像処理手段で処理され前記記録媒体に記録された画像データに対し、前記ユーザ認証情報認証手段によるユーザ認証情報の認証に従い、前記ユーザ認証情報と組となる前記ユーザ専用カメラ設定に従い前記現像処理手段を動作させ、前記記録手段により前記記録媒体に記録させる認証後制御手段とを有することを特徴とする。
【発明の効果】
【００１０】
本発明によれば、ユーザ毎にカメラ設定を切り替え可能な撮像装置において、ユーザ認証前の撮影を可能にしつつ、ユーザ認証されたユーザのカメラ設定に従う現像と記録を可能にする。これにより、シャッタチャンスを逃さずことなしに、ユーザ専用カメラ設定に従った撮影結果をユーザに提供できる。
【図面の簡単な説明】
【００１１】
【図１】実施例１に係る撮像装置の概略構成ブロック図である。
【図２】ユーザ認証処理部の概略構成ブロック図である。
【図３】初期カメラ設定の一例である。
【図４】ユーザ専用カメラ設定の一例である。
【図５】実施例１のメインの動作フローチャートである。
【図６】実施例１のユーザ認証操作に従う処理の動作フローチャートである。
【図７】実施例１の撮影操作に従う処理の動作フローチャートである。
【図８】ユーザ認証後にユーザ専用カメラ設定を適用する処理の動作フローチャートである。
【発明を実施するための形態】
【００１２】
以下、図面を参照して、本発明の実施例を詳細に説明する。
【実施例１】
【００１３】
図１は、実施例１に係る撮像装置の概略構成ブロック図である。カメラ１０は、被写体を撮像する撮像装置（例えば、デジタルカメラ）である。フォーカシングレンズ１２、ズーミングレンズ１４及び絞り１６が、撮像素子１８に対する撮像光学系を構成する。フォーカシングレンズ１２は、光軸方向の進退により撮像光学系の焦点調節を可能にする。ズーミングレンズ１４は、光軸方向の進退により撮像光学系の画角を変更可能にする。絞り１６は、撮像素子１８に入射する光量を制限する。
【００１４】
撮像素子１８は、ＣＣＤ撮像素子又はＣＭＯＳ撮像素子等で構成される光電変換手段である。撮像素子１８は、光学素子１２，１４，１６からなる撮像光学系で形成された被写体光学像を光電変換し、画像信号を出力する。前処理回路２０は、ＣＤＳ（相関二重サンプリング）回路及びＡＧＣ（オートゲインコントロール）回路等を含み、撮像素子１８の出力画像信号のノイズを除去し、ゲインを制御する。
【００１５】
Ａ／Ｄ変換器２２は、前処理回路２０から出力されるアナログ画像信号をデジタル画像信号に変換する。画像信号処理装置２４は、Ａ／Ｄ変換器２２からのデジタル画像信号にシェーディング補正等のカメラで周知の画像信号処理を施す。画像信号処理装置２４は、いわば、撮像素子１８の特性に起因する画像濃度の非線形性及び光源に起因する画像色の偏りを補正する。メモリ２６は、撮像素子１８から画像信号処理装置２４により生成される画像データを一時記憶するバッファメモリとして機能する。メモリ２６に格納されている画像データは、画像信号処理装置２４による補正処理等が施されているが、撮像素子１８の各画素に蓄積された電荷エネルギーをそのままデジタルデータ化したものと考えることができる。以後、メモリ２６に格納された画像データをＲＡＷデータ又はＲＡＷ画像データと呼ぶ。
【００１６】
撮像素子１８からメモリ２６までの部分は、撮像光学系で形成された被写体の光学像をデジタル画像信号又は画像データに変換する光電変換系である。ＣＰＵ（Ｃｅｎｔｒａｌ  Ｐｒｏｃｅｓｓｉｎｇ  Ｕｎｉｔ）２８は、撮像素子１８の画像信号読み出しを制御するクロック信号を送出し、撮像素子１８〜メモリ２６からなる光電変換系の動作タイミングを制御する。
【００１７】
ＣＰＵ２８は、光電変換系による撮像画像を以下に説明する方法で処理し、更には、カメラ１０の全体を制御する。ＣＰＵ２８には、メモリ３０、ＲＡＭ３２、現像処理部３４及びカード入出力部３６が接続する。
【００１８】
メモリ３０はＥＥＰＲＯＭ等で構成されており、カメラ１０の電源がオフにされても、記録されたデータを失わない。メモリ３０には、電源がオンになった場合にカメラ１０に設定する初期カメラ設定値が記録されている。ＲＡＭ３２は、ＣＰＵ２８や現像処理部３４の処理対象、処理途中及び処理結果等を一時記憶するのに使用される。
【００１９】
ＣＰＵ２８は、メモリ２６からのＲＡＷデータを、現像用に現像処理部３４に供給する。現像処理部３４は、ＣＰＵ２８からのＲＡＷデータに現像設定値に基づいた画像処理を施し、圧縮などの記録用の処理を施す。画像処理を施された画像データは、ＲＡＭ３２に一時格納される。現像設定値は、画像データの画質に関するパラメータからなり、ＬＣＤ５２のグラフィカルユーザインタフェースで確認でき、操作部４８で変更設定できる。現像パラメータは、具体的には、ホワイトバランス、色補間、色補正、γ変換、エッジ強調及び解像度に関するパラメータからなる。本明細書では、これら１以上の現像パラメータを用いて画像データの画質を調整（変更）する処理を現像処理と呼ぶ。
【００２０】
実施例１では、ユーザは、現像パラメータに加えて、記録方式とその圧縮率を選択できる。記録方式として、ＪＰＥＧ（Ｊｏｉｎｔ  Ｐｈｏｔｏｇｒａｐｈｉｃ  Ｅｘｐｅｒｔｓ  Ｇｒｏｕｐ）形式とＲＡＷ形式が用意されている。ＪＰＥＧ形式は、ＲＡＷデータに対して適応離散コサイン変換（ＡＤＣＴ）による不可逆圧縮処理を行った圧縮データを記録する形式であり、ファイルサイズ容量を小さくできる。圧縮率を大きくするとファイルサイズ容量を小さくできるが、画質が劣化する。ＲＡＷ形式はＲＡＷデータに対してロスレス圧縮（可逆圧縮）を行ったデータを記録する形式である。ＲＡＷ形式は可逆圧縮であるので、画像情報を欠落することなくファイルサイズ容量を小さくできるが、ＪＰＥＧ形式ほどにはファイルサイズを小さくできない。現像処理部３４は、ＲＡＷ画像データをＪＰＥＧ圧縮する機能を持つ。
【００２１】
カード入出力部３６は、カードスロット３８Ａ、３８Ｂに装着されるメモリカード４０Ａ，４０Ｂにデータを読み書きできる。メモリカード４０Ａ，４０Ｂは、それぞれ、カードスロット３８Ａ、３８Ｂに着脱自在であり、フラッシュメモリ等の半導体メモリからなる。メモリカード４０Ａ，４０Ｂは記録媒体の一例である。メモリカード４０Ａ，４０Ｂの代わりに、例えば、ハードディスク、光ディスク、光磁気ディスク、磁気ディスク又は半導体メモリを使用してもよい。
【００２２】
ＣＰＵ２８は、ＲＡＭ３２の画像処理された画像データをＥｘｉｆ（Ｅｘｃｈａｎｇｅａｂｌｅ  Ｉｍａｇｅ  Ｆｉｌｅ  Ｆｏｒｍａｔ）規格のファイルフォーマットに従いメモリカード４０Ａ又は４０Ｂに記録する。Ｅｘｉｆ規格のファイルでは、撮影時のカメラ情報をタグ形式で画像データと同一ファイルに記録できる。Ｅｘｉｆのカメラ情報には、撮影時の明るさに関するカメラ情報を格納できる。例えば、絞り値タグ、シャッタスピードタグ及び輝度値タグがある。また、絞り値（Ａｖ）、シャッタスピード（Ｔｖ）及び輝度値（Ｂｖ）をＡＰＥＸ（Ａｄｄｉｔｉｖｅ  Ｓｙｓｔｅｍ  ｏｆ  Ｐｈｏｔｏｇｒａｐｈｉｃ  Ｅｘｐｏｓｕｒｅ）単位の値で記載している。他にも、メーカノートタグがあり、各デジタルカメラメーカが独自の画像情報を追加できる。
【００２３】
ＣＰＵ２８には更に、メインスイッチ４２、第１レリーズスイッチ４４、第２レリーズスイッチ４６、及び操作部４８が接続する。メインスイッチ４２は、いわばカメラ１０に電源オンを指示するスイッチであり、その操作に応じて、ＣＰＵ２８は、所定のメインプログラムを始動する。第１レリーズスイッチ４４は、レリーズボタンの第１ストローク（半押し状態）でオンになり、第２レリーズスイッチ４６は、レリーズボタンの第２ストローク（全押し状態）でオンとなる。ＣＰＵ２８は、第１レリーズスイッチ４４がオンになるとカメラ１０のフォーカスと露出値を決定し、第２レリーズスイッチ４６がオンになると、光電変換、現像及び記録媒体への記録からなる一連の撮像処理を実行する。操作部４８は、種々のカメラ設定値の選択と入力に使用され、図１には、左選択ボタン４８Ａ、右選択ボタン４８Ｂ及び設定ボタン４８Ｃを図示してある。
【００２４】
ＣＰＵ２８はまた、左選択ボタン４８Ａ、右選択ボタン４８Ｂ及び設定ボタン４８Ｃの押下とデジタルカメラの動作状態に応じて各部を制御する。例えば、再生状態では、ＣＰＵ２８は、左選択ボタン４８Ａの押下に応じて前の画像データを表示し、右選択ボタン４８Ｂの押下に応じて次の画像データを表示する。
【００２５】
表示制御装置５０は、液晶表示素子（ＬＣＤ）５２を駆動して、画像を表示させる。表示制御装置５０にはまた、ビデオ出力端子５４、Ｄ端子５６及びＨＤＭＩ（登録商標）端子５８が接続する。表示制御装置５０は、各端子５４，５６，５８へのケーブル接続を検知し、これら端子５４，５６，５８へのビデオ出力を制御する。
【００２６】
ＣＰＵ２８は、画像データの表示先を、現在利用可能な表示デバイス上に表示し、操作部４８のユーザ操作に従って切り替えることができる。利用可能な表示デバイスは、ＬＣＤ５２と、ケーブル接続されたビデオ出力端子５４、Ｄ端子５６及びＨＤＭＩ端子５８に接続する映像機器である。
【００２７】
ＵＳＢ制御装置６０は、ＵＳＢ端子６２でのＵＳＢコネクタの挿抜検知と、ＵＳＢ接続の通信の信号駆動及び制御をする。ＬＡＮ制御装置６４は、有線ＬＡＮ端子６６の挿抜検知と有線ＬＡＮ経由の通信を制御し、無線ＬＡＮ６８の無線ＬＡＮ接続と無線ＬＡＮ経由の通信を制御する。ＵＳＢ接続が確立している場合、メニュー操作によりＵＳＢの通信で画像データをＰＣ等の外部のデバイスに送信できる。有線ＬＡＮと無線ＬＡＮについても同様である。
【００２８】
電源７０は、ＣＰＵ２８の制御の下で、カメラ１０内の各回路に電源を供給する。
【００２９】
実施例１では、ユーザごとに、現像設定値と記録方式を予め指定しておくことができる。本明細書では、現像設定値と記録方式をまとめてカメラ設定と呼び、個々のユーザが自身のための指定するカメラ設定をユーザ専用カメラ設定と呼ぶ。これに対して、電源オン時にカメラ１０に設定されるカメラ設定を初期カメラ設定と呼ぶ。初期カメラ設定は、ユーザ専用カメラ設定のテンプレートとしても使用される。
【００３０】
ユーザ認証処理部７２は、図２に示すように、ユーザ認証情報記録部７４、ユーザ認証情報認証部７６及びユーザ認証情報登録部７８からなる。ユーザ認証情報記録部７４には、ユーザ認証情報登録部７８により予め登録されたユーザ認証情報とユーザ専用カメラ設定の組が記録される。
【００３１】
ユーザ認証情報登録部７８は、ユーザが入力するユーザ認証情報を受け付け、ユーザ認証情報記録部７４に登録する。具体的には、ＣＰＵ２８が、メモリ３０に記憶される初期カメラ設定を表示デバイス上に表示してユーザに修正させ、ユーザ名とパスワードを入力させる。ユーザ認証情報登録部７８は、初期カメラ設定に対する相違内容を当該ユーザのユーザ専用カメラ設定としてユーザ認証情報記録部７４に登録する。実施例１では、ユーザ専用カメラ設定にユーザ名の欄を設けることで、特定のユーザに関連付ける。ユーザ認証情報は、実施例１ではパスワードであるが、指紋、声紋又は静脈情報などの生体認証手段であってもよい。ただし、生体認証の場合、それぞれに対応する入力装置が必要となる。
【００３２】
ユーザ認証情報認証部７６は、ユーザ認証情報記録部７４に記録されているユーザ認証情報と入力ユーザ認証情報とが一致するか否かを判断する。一致する場合、ユーザ認証情報と組になっているユーザ専用カメラ設定の内容と認証の成功をＣＰＵ２８に伝える。ＣＰＵ２８は、伝えられたユーザ専用カメラ設定に従う内容で撮影画像を処理する。この処理の詳細は後述する。一致しない場合、ＣＰＵ２８に認証の失敗を伝える。
【００３３】
なお、ユーザ情報である名前情報は、撮影画像データのユーザ名情報タグにも格納される。ユーザ名情報タグとして、メーカノート（Ｍａｋｅｒ  Ｎｏｔｅ）タグ、オーナネーム（Ｏｗｎｅｒ  Ｎａｍｅ）タグ又はユーザコメント（Ｕｓｅｒ  Ｃｏｍｍｅｎｔ）タグを使っても良い。
【００３４】
実施例１における現像に関する設定項目は、ホワイトバランス、シャープネス、コントラスト、色の濃さ、色合い及び解像度の６項目からなる。これらに記録方式とユーザ名情報を加えたものがカメラ設定となる。
【００３５】
ホワイトバランスは７項目から選択できる。カメラが自動判定するオートでは、色温度が３０００〜７０００Ｋであり、ユーザが色温度を指定するマニュアルでは、色温度が２０００〜１００００Ｋである。他に、太陽光（５２００Ｋ）、日陰（７０００Ｋ）、曇り（６０００Ｋ）、白熱電球（３２００Ｋ）、白色蛍光灯（４０００Ｋ）及びストロボ使用（６０００Ｋ）を選択できる。
【００３６】
シャープネスはエッジ強調強度を０〜７段で指定でき、０段はエッジ強調なしである。コントラストは明暗差強度をプラスマイナス４段で補正でき、０段は補正なしである。色の濃さはプラスマイナス４段で補正でき、０段は補正なしである。色合いはプラスマイナス４段で補正（マイナスが肌色赤め、プラスが肌色黄色め）でき、０段は補正なしである。解像度はＬ、Ｍ、Ｓから選択でき、Ｌから順に高い解像度である。
【００３７】
記録方式はＲＡＷ形式とＪＰＥＧ形式から選択できる。
【００３８】
図３は、実施例１におけるカメラ設定の初期値、いわゆる初期カメラ設定を示す。ユーザ名は文字列からなり、その初期値は「ＵＮＫＮＯＷＮ」である。ホワイトバランスの初期値は、「オート」である。シャープネスの初期値は弱い方から４段目である。コントラストの初期値は０段（補正なし）である。色の濃さの初期値は０段（補正なし）である。色合いの初期値は０段（補正なし）である。解像度の初期値はＬである。記録方式の初期値はＲＡＷ形式である。
【００３９】
ユーザ認証が完了したカメラに対してユーザがカメラ設定を変更した場合、ＣＰＵ２８がユーザ認証情報登録部７８に設定値の変更を通知し、ユーザ認証情報登録部７８は、変更内容をユーザ専用カメラ設定としてユーザ認証情報記録部７４に記録する。例えば、ユーザＡのユーザ専用カメラ設定が、図４に示す内容であるとする。すなわち、ユーザ名情報＝ユーザＡ、シャープネス＝２段、コントラスト＝０段、色の濃さ＝０段、色合い＝０段、解像度＝Ｌ、記録形式＝ＪＰＥＧ形式であるとする。この場合、ユーザＡのユーザ専用カメラ設定で初期値と違いのある設定項目は、ユーザ名情報、シャープネス及び記録形式の３つであり、ユーザ認証情報記録部７４には、ユーザ名情報＝ユーザＡ、シャープネス＝２段、記録形式＝ＪＰＥＧ形式の３項目が記録される。
【００４０】
図５は、実施例１のメインの動作フローチャートである。メインスイッチ４２のオンにより、ＣＰＵ２８は、電源７０から各部に電力を供給させ、カメラ１０を初期化する（Ｓ１）。カメラ１０の初期化は、フラグや制御変数等を初期化して表示デバイスの画像表示をオフ状態に初期設定し、カメラ設定を前述の初期カメラ設定の内容通りに設定する処理である。
【００４１】
ＣＰＵ２８は、カメラ設定の変更を禁止状態にする（Ｓ２）。これ以後、ユーザ認証（Ｓ６）を経ないとカメラ設定の変更を許可しないので、ユーザ認証前の撮影画像には全て初期カメラ設定が適用される。
【００４２】
ＣＰＵ２８は、カメラ１０の状態を撮影動作許可状態にする（Ｓ３）。ステップＳ３以前に第１レリーズスイッチ４４又は第２レリーズスイッチ４６をオンにしても、ＣＰＵ２８は、撮影動作プログラムを始動しない。
【００４３】
次に、ＣＰＵ２８は、電源７０の残量及びメモリカード４０Ａ，４０Ｂをチェックする（Ｓ４）。電源７０の残容量が少なければ、ＬＣＤ５２にその旨を表示して、ユーザに警告する。また、カード入出力部３６により、カードスロット３８Ａ，３８Ｂのどちらにもメモリカード４０Ａ，４０Ｂが挿入されていない場合も、ＬＣＤ５２にその旨を表示して、ユーザに警告する。接続されているメモリカード４０Ａ，４０Ｂの空き容量が少ない場合も、同様にユーザに警告する。
【００４４】
ステップＳ４以後、ユーザは、撮影のためのレリーズ操作と、ユーザ認証操作を自由なタイミングで実行でき、ＣＰＵ２８は何らかのユーザ操作を待機する。ユーザ認証操作、例えば、ユーザを指定してのパスワード入力があると（Ｓ５）、図６に示すフローに従って、ユーザ認証処理部７２がユーザ認証等を実行し（Ｓ６）、ステップＳ５に戻る。指紋認証や静脈認証などの場合には、これらに対応するタッチセンサ又は光センサに指等がかざされたことをきっかけにユーザ認証（Ｓ６）を開始する。
【００４５】
他方、撮影のためのレリーズ操作（撮影操作）があると（Ｓ７）、図７に示すフローに従って、ＣＰＵ２８が、撮影を実行するように各部を制御し（Ｓ８）、ステップＳ４に戻る。電源とメモリカードのチェック（Ｓ４）は、その都度、実行する必要は無く、適当な時間間隔等で間欠的に実行すれば良い。
【００４６】
理解しやすいように、図５では、ユーザ認証操作（Ｓ５）の検知とレリーズ操作（Ｓ７）の検知を時系列的に実行している。しかし、実際は、これらの操作を独立に検知した上で、ユーザ認証処理部７２及びＣＰＵ２８が協働して、対応する処理（Ｓ６，Ｓ８）を互いに独立に実行する。すなわち、実施例１では、ユーザ認証（Ｓ６）の前に、撮影動作（Ｓ８）を実行可能であり、また、撮影動作（Ｓ８）の前に、ユーザ認証（Ｓ６）を実行することも可能である。
【００４７】
図６は、ユーザ認証（Ｓ６）の詳細な動作フローチャートである。ソフトウエアキーボードと入力メニューをＬＣＤ５２の画面上に表示して、パスワード入力をユーザに促す（Ｓ１１）。ユーザは、ソフトウエアキーボードに対し左選択ボタン４８Ａ、右選択ボタン４８Ｂ及び設定ボタン４８Ｃを使ってパスワードを入力する。ユーザ認証処理部７２が、入力されたパスワードを認証する（Ｓ１２）。パスワード入力がキャンセルされた場合、及び認証が失敗した場合（Ｓ１２）、ユーザ認証動作を終了する。
【００４８】
ユーザ認証が成功すると（Ｓ１２）、ユーザ認証処理部７２及びＣＰＵ２８が、認証されたユーザに対して予め登録されたユーザ専用カメラ設定をカメラ１０に設定する（Ｓ１３）。ユーザＡの場合、現在のカメラ設定に対し、図４に示すように、ユーザ名情報＝ユーザＡ、シャープネス＝２段、記録形式＝ＪＰＥＧ形式の３項目が修正される。
【００４９】
ＣＰＵ２８は、カメラ１０をカメラ設定変更可能な状態にする（Ｓ１４）。これにより、ユーザは、現在のカメラ設定を更に修正することができる。換言すると、ユーザ認証以前には、ユーザは、カメラ１０のカメラ設定を変更できない。
【００５０】
ＣＰＵ２８は、ユーザ認証前の撮影画像データがメモリカード４０Ａ又は４０Ｂ２０にあるかどうかを調べる（Ｓ１５）。ユーザ認証前の撮影画像データがメモリカード４０Ａ又は４０Ｂにある場合（Ｓ１５）、ＣＰＵ２８は、現在のカメラ設定（ユーザ専用カメラ設定）をユーザ認証前の撮影画像データに遡及適用する（Ｓ１６）。この遡及適用の詳細は後述する。これにより、ユーザ認証前の撮影画像データを、ユーザ認証後の撮影画像データと同じ現像設定及び記録形式で現像及び記録したものに変換できる。
【００５１】
ユーザ認証前の撮影画像データがメモリカード４０Ａ又は４０Ｂにある場合（Ｓ１５）、ステップＳ１６の実行前に、実行の承認をユーザに求めるようにしてもよい。
【００５２】
図７は、撮影動作（Ｓ８）の詳細なフローチャートである。第２レリーズスイッチ４６のオンにより、ＣＰＵ２８は、光電変換系を制御し、撮影画像のＲＡＷデータをメモリ２６に格納させる（Ｓ２１）。
【００５３】
ＣＰＵ２８は現像処理部３４を制御して、カメラ１０に設定されているカメラ設定に従いメモリ２６のＲＡＷデータを現像処理及び記録処理をさせる（Ｓ２２）。ユーザ認証前では、現在のカメラ設定は、初期カメラ設定になっているので、撮影画像データは、実質的な現像処理はほとんど施されずに、最大解像度で、ＲＡＷ形式で記録される。他方、ユーザ認証が済んでいる場合、メモリ２６のＲＡＷデータは、認証されたユーザのユーザ専用カメラ設定に従い現像処理され、そのカメラ設定の記録形式でメモリカード４０Ａ又は４０Ｂに記録される。
【００５４】
ユーザ認証前の場合（Ｓ２３）、ＣＰＵ２８は、更に、ユーザ認証後の、ユーザ専用カメラ設定の遡及適用（Ｓ１６）のために、ステップＳ２２で記録した撮影画像データにユーザ専用カメラ設定の未適用を示すタグを付ける（Ｓ２４）。例えば、メーカノートタグ値にＹＥＳの文字が入れる方法などが考えられる。ステップＳ１６では、このタグを目安に、ユーザ専用カメラ設定が未適用の画像データを検索し、ユーザ専用カメラ設定を順次、適用する。適用後には、タグを消去する。
【００５５】
又は、ユーザ専用カメラ設定が未適用の画像データをリストする未適用画像リストファイルを別途メモリカード４０Ａ又は４０Ｂに用意し、そのファイルに画像ファイル名を追加的に書き込むようにしても良い。この場合、ステップＳ１６では、この未適用画像ファイルを参照してユーザ専用カメラ設定が未適用の画像データを検索し、ユーザ専用カメラ設定を順次、適用する。ユーザ専用カメラ設定を適用した画像データについては、未適用画像リストファイルから消去する。
【００５６】
図８は、ステップＳ１６の詳細なフローチャートを示す。ＣＰＵ２８が、認証後制御手段として、図８に示すフローを実行する。
【００５７】
ＣＰＵ２８は、メモリカード４０Ａ又は４０Ｂをスキャンして最初に発見した未適用の画像ファイルを読み込み（Ｓ３１）。読み込んだ画像ファイルのカメラ設定に関する情報を、認証されたユーザに対する内容で修正する（Ｓ３２）。具体的には、ユーザ名情報タグをユーザ認証処理部７２で認証したユーザ名で置換する。認証されたユーザのユーザ専用カメラ設定の内容を、対応する情報タグに書き込む。図４に例示したユーザＡのユーザ専用カメラ設定の場合、画像ファイルのユーザ名情報タグに“ユーザＡ”を設定する。また、各対応する情報タグに、シャープネス２段、コントラスト０段、色の濃さ０段、色合い０段、解像度Ｌ、記録形式ＪＰＥＧ形式を書き込む。
【００５８】
ＣＰＵ２８は、認証されたユーザのユーザ専用カメラ設定の、初期カメラ設定からの差分を抽出し、差分の有無を調べる（Ｓ３３）。差分がある場合（Ｓ３３）、ＣＰＵ２８は、現像処理部３４に差分に従った再現像を実行させる（Ｓ３４）。具体的には、記録方式がＪＰＥＧ形式に変更される場合、現像処理部３４は、現像対象の画像データ（ＲＡＷ形式）を伸長し、ＪＰＥＧ形式で再圧縮する。
【００５９】
差分が無い場合には、カメラ設定を修正した画像ファイルを、差分がある場合には、カメラ設定を修正し、再現像した画像ファイルを、メモリカード４０Ａ又は４０Ｂに書き込む（Ｓ３５）。
【００６０】
未適用画像を削除するように設定されている場合（Ｓ３６）、ステップＳ３１で読み出した未適用の画像ファイルをメモリカード４０Ａ又は４０Ｂから削除する（Ｓ３７）。ステップＳ３５でメモリカード４０Ａ又は４０Ｂに書き込んだ適用済みの画像ファイルのファイル名を、ここで削除したファイル名に変更する。
【００６１】
次の未適用画像を探索し、存在する場合には（Ｓ３９）、ステップＳ３１以降を繰り返す。未適用画像が無くなれば（Ｓ３９）、終了する。
【００６２】
撮影画像の保存先を複数から選択できる場合で、ユーザ専用カメラ設定で撮影画像の保存先を指定できるときには、以下のようにする。すなわち、ユーザ認証前では、利用可能な保存先に撮影画像を記録し、ユーザ認証後に、ユーザ専用カメラ設定で指定された保存先にその撮影画像を移動すればよい。
【００６３】
実施例１では、ユーザ認証前にもシャッタチャンスを逃すことなく撮影を実行でき、ユーザ認証後にユーザ専用カメラ設定を適用できる。ユーザ認証前では、用意されている品質中の最高品質で画像データを記録媒体に記録するので、ユーザ認証後のユーザ専用カメラ設定の適用によっても、画質が劣化することはない。
【実施例２】
【００６４】
実施例１では、初期カメラ設定を、ユーザ認証前の現像及び記録処理に流用したが、ユーザ認証前の撮影に適用するカメラ設定（ユーザ認証前カメラ設定）を別に用意しておいても良い。この場合、初期カメラ設定は自由な内容で決定でき、例えば、記録方式にＪＰＥＧ形式も採用可能である。従ってまた、ユーザ認証前に変更を禁止する（Ｓ２）必要が無くなる。
【００６５】
ユーザ認証前カメラ設定は、ユーザ専用カメラ設定のどの内容にも再現像で対応可能であればよく、例えば、記録方式としてＲＡＷ形式を採用し、解像度をＬとする。換言すると、ユーザ認証前カメラ設定は、ユーザ専用カメラ設定の可能などの内容よりも高画質になるカメラ設定であればよい。
【００６６】
図７に示すフローに代えて、以下の処理を採用する。すなわち、第２レリーズスイッチ４６のオンにより、ＣＰＵ２８は、光電変換系を制御し、撮影画像のＲＡＷデータをメモリ２６に格納させる。
【００６７】
撮影者がユーザ認証済みである場合、メモリ２６のＲＡＷデータを、認証されたユーザのユーザ専用カメラ設定に従い現像処理し、メモリカード４０Ａ又は４０Ｂに記録する。
【００６８】
他方、ユーザ認証前の場合、メモリ２６のＲＡＷデータを、ユーザ認証前カメラ設定に従い現像処理し、メモリカード４０Ａ又は４０Ｂに記録する。さらに、ステップＳ２４と同様に、ユーザ認証後にユーザ専用カメラ設定を遡及適用（Ｓ１６）するために、撮影画像データにユーザ専用カメラ設定の未適用を示すタグを付ける。
【００６９】
ユーザ認証操作に対する処理は、実施例１と同じである。
【００７０】
実施例２では、初期カメラ設定を自由に決定でき、ユーザ認証前にカメラ設定を自由に変更でききるという利点がある。
【図１】
2015195434.tif 000003
【図２】
2015195434.tif 000004
【図３】
2015195434.tif 000005
【図４】
2015195434.tif 000006
【図５】
2015195434.tif 000007
【図６】
2015195434.tif 000008
【図７】
2015195434.tif 000009
【図８】
2015195434.tif 000010